(57)【要約】【課題】本発明は、ステータ鉄心に一体で突出する一対の耳部を形成し、耳部の外端面を取付面とし、耳部にかしめ部を形成することにより、ステータ鉄心の特性と取付の安定を得ることを目的とする。【解決手段】本発明によるレゾルバステータ構造は、樹脂モールド部(2)をインサート成形したステータ鉄心(1)に耳部(10)を突出して形成し、この耳部(10)に取付面(8)とかしめ部(4)を形成した構成である。【選択図】図１
2007143249.tif 000002
【特許請求の範囲】
【請求項１】
全体形状が輪状をなし内方へ向けて突出する複数の磁極を有するステータ鉄心と、前記ステータ鉄心にインサート成形により形成され前記各磁極を覆う樹脂モールド部と、前記ステータ鉄心の外周に一体に形成され外方へ突出する複数の耳部と、前記樹脂モールド部に設けられた端子ピンとを備え、
前記各耳部には前記樹脂モールド部が覆われてなく、前記各耳部の外端面が取付面を形成していることを特徴とするレゾルバステータ構造。
【請求項２】
前記ステータ鉄心は積層型よりなり、前記各耳部には前記ステータ鉄心をかしめるためのかしめ部が形成されていることを特徴とする請求項１記載のレゾルバステータ構造。
【請求項３】
前記各耳部には、取付用の取付穴が形成されていることを特徴とする請求項１又は２記載のレゾルバステータ構造。
【発明の詳細な説明】
【技術分野】
【０００１】
本発明は、レゾルバステータ構造に関し、特に、ステータ鉄心の外側へ突出する耳部の外端面を取付面とし、樹脂モールド部をインサート成形する時の成形圧による変形の影響を取付面が受けないようにし、取付面の寸法を正確に保つようにするための新規な改良に関する。
【背景技術】
【０００２】
従来、用いられていたこの種のレゾルバステータ構造としては、例えば、特許文献１に開示されているように、輪状のステータ鉄心の外周は円周状であり、このステータ鉄心にインサート成形によって各絶縁部材を一体に形成すると、図３に示される構成となっていた。
【０００３】
すなわち、図３において符号１で示されるものは全体形状が輪状をなすステータ鉄心であり、このステータ鉄心１にはインサート成形によって樹脂モールド部２が形成されている。
前記ステータ鉄心１には、内方へ向けて突出する複数の磁極３が一体に形成され、各磁極３は前記樹脂モールド部２によって先端を除いて全て覆われている。
【０００４】
前記樹脂モールド部２は、前記ステータ鉄心１の外縁部分の露出部１ａを除いて前記ステータ鉄心１を覆っており、前記露出部１ａには、積層型の前記ステータ鉄心１をかしめるためのかしめ部４が形成されている。
【０００５】
前記各磁極３には、前記樹脂モールド部２を介してステータコイル５が巻付けられており、このステータコイル５の端線は、前記樹脂モールド部２に一体に成形された端子保持部６の各端子ピン７に接続されている。
尚、前記ステータ鉄心１の外端面に形成された取付面８は、前記ステータ鉄心１をモータ等の相手方へ取付ける場合の基準面を形成している。
【０００６】
【特許文献１】米国特許第６，０２８，３８３号明細書
【発明の開示】
【発明が解決しようとする課題】
【０００７】
従来のレゾルバステータ構造は、以上のように構成されていたため、次のような課題が存在していた。
すなわち、樹脂モールド部をステータ鉄心に対してインサート成形する場合に、成形圧によってステータ鉄心の取付面が外側に膨張し、成形後にこの取付面の寸法が変化しているため、寸法不良となっていた。
そのため、歩留まりが悪く、生産性を向上させることが困難であった。
また、ステータ鉄心の外縁の露出部にかしめ部を形成しているため、このかしめ部によってステータ鉄心の内部に応力が加わり、積層時に転積によって磁気的バランスを取ったにも拘わらず、ステータ鉄心の磁気的バランスが崩れ、磁気的特性に悪影響が出ることになっていた。
【課題を解決するための手段】
【０００８】
本発明によるレゾルバステータ構造は、全体形状が輪状をなし内方へ向けて突出する複数の磁極を有するステータ鉄心と、前記ステータ鉄心にインサート成形により形成され前記各磁極を覆う樹脂モールド部と、前記ステータ鉄心の外周に一体に形成され外方へ突出する複数の耳部と、前記樹脂モールド部に設けられた端子ピンとを備え、前記各耳部には前記樹脂モールド部が覆われてなく、前記各耳部の外端面が取付面を形成している構成であり、また、前記ステータ鉄心は積層型よりなり、前記各耳部には前記ステータ鉄心をかしめるためのかしめ部が形成されている構成であり、また、前記各耳部には、取付用の取付穴が形成されている構成である。
【発明の効果】
【０００９】
本発明によるレゾルバステータ構造は、以上のように構成されているため、次のような効果を得ることができる。
すなわち、ステータ鉄心の外縁から外側へ突出する耳部が形成され、この耳部が樹脂モールド部から十分に離れているため、インサート成形時の成形圧による変形を避けることができ、各耳部の外端面の取付面は寸法変形がなく、安定した寸法品質を保つことができる。
また、この耳部に形成したかしめ部によってステータ鉄心の磁気的特性を当初の転積による積層時の状態を保つことができ、品質を安定させることができる。
従って、ステータ鉄心の歩留まりを大幅に向上させることができる。
【発明を実施するための最良の形態】
【００１０】
本発明は、ステータ鉄心の外側へ突出する耳部の外端面を取付面とし、樹脂モールド部をインサート成形する時の成形圧による変形の影響を取付面が受けないようにし、取付面の寸法を正確に保つようにしたレゾルバステータ構造を提供することを目的とする。
【実施例】
【００１１】
以下、図面と共に本発明によるレゾルバステータ構造の好適な実施の形態について説明する。
尚、従来例と同一又は同等部分については同一符号を付して説明する。
図１において符号１で示されるものは全体形状が輪状をなすステータ鉄心であり、このステータ鉄心１にはインサート成形によって樹脂モールド部２が形成されている。
【００１２】
前記ステータ鉄心１には、内方へ向けて突出する複数の磁極３が一体に形成され、さらに、外周から一体に外方へ向けて一対の耳部１０が突出して一体形成され、各磁極３は前記樹脂モールド部２によって先端を除いて全て覆われている。
【００１３】
前記樹脂モールド部２は、前記ステータ鉄心１の外縁部分の露出部１ａを除いて前記ステータ鉄心１を覆っており、前記露出部１ａは前記各耳部１０と連通している。
【００１４】
前記各耳部１０には、このステータ鉄心１を装置（図示せず）に取付けるための取付穴１１が形成され、この耳部１０の取付穴１１の周囲には複数のかしめ部４が形成され、積層型のステータ鉄心１が一体に形成されている。
【００１５】
前記各耳部１０の外端面からなる取付面８は、このステータ鉄心１を取付ける際の位置決め用の基準面を形成している。
尚、このかしめ部４はステータ鉄心１の主体部分から離れて形成されているため、従来のようにステータ鉄心１の磁気的特性に対して悪影響を与えることがない。
また、取付面８が耳部１０の外端であるため、前記樹脂モールド部２の成形時の成形圧による鉄心の変形は取付面８に及びにくく、取付面８の寸法変形は起こらず、寸法品質の安定を得ることができる。
【００１６】
前記各磁極３には、前記樹脂モールド部２を介してステータコイル５が巻付けられており、このステータコイル５の端線は、前記樹脂モールド部２に一体に成形された端子保持部６の各端子ピン７に接続されている。
【産業上の利用可能性】
【００１７】
本発明は、レゾルバ用に限ることなく、インナロータ型モータにも適用可能である。
【図面の簡単な説明】
【００１８】
【図１】本発明によるレゾルバステータ構造を示す平面図である。
【図２】図１のＡ−Ａ断面図である。
【図３】従来構成の平面図である。
【符号の説明】
【００１９】
１    ステータ鉄心
２    樹脂モールド部
３    磁極
４    かしめ部
５    ステータコイル
６    端子保持部
７    端子ピン
８    取付面
１０    耳部
１１    取付穴
【図１】
2007143249.tif 000003
【図２】
2007143249.tif 000004
【図３】
2007143249.tif 000005